(57)【要約】【課題】従来のふかし壁を形成することを省略することができるトイレ装置を提供する。【解決手段】トイレ装置１であって、便器本体２と、建物の室内側の内壁Ａ１及び内壁よりも建物の室外側の外壁Ａ２を通して延びる給水管８であって、便器本体に洗浄水を給水し且つ屈曲可能な給水ホース５２を含む、給水管８と、内壁Ａ１及び外壁Ａ２を通して延びる排水管１６であって、便器本体から排水を排出し且つ屈曲可能な排水ホース５４を含む、排水管１６と、外壁Ａ２から内壁Ａ１の室内側の給水ホース５２及び排水ホース５４まで延びると共に外壁Ａ２に対して固定され、給水ホース５２及び排水ホース５４にかかる引っ張り荷重を外壁Ａ２に伝達させる荷重伝達部５０とを備える。【選択図】図８
2019206867.tif 000002
【特許請求の範囲】
【請求項１】
トイレ装置であって、
便器本体と、
建物の室内側の内壁及び上記内壁よりも上記建物の室外側の外壁を通して延びる給水管であって、上記便器本体に洗浄水を給水し且つ屈曲可能な給水ホースを含む、上記給水管と、
上記内壁及び上記外壁を通して延びる排水管であって、上記便器本体から排水を排出し且つ屈曲可能な排水ホースを含む、上記排水管と、
上記外壁から上記内壁の室内側の上記給水ホース及び上記排水ホースまで延びると共に上記外壁に対して固定され、上記給水ホース及び上記排水ホースにかかる引っ張り荷重を上記外壁に伝達させる荷重伝達部とを備えることを特徴とする、トイレ装置。
【請求項２】
上記荷重伝達部は、ねじ締結構造により上記外壁に対して固定される、請求項１に記載のトイレ装置。
【請求項３】
上記荷重伝達部は、上記給水ホース及び上記排水ホースをまとめるように形成され且つ上記給水ホース及び上記排水ホースにかかる引っ張り荷重を受ける荷重受部を備える、請求項１又は２に記載のトイレ装置。
【請求項４】
上記荷重伝達部は、上記内壁に形成された１つの孔及び上記外壁に形成された１つの孔を通って延びる貫通部材を備え、上記貫通部材内に上記給水管及び上記排水管が通される、請求項１乃至３の何れか１項に記載のトイレ装置。
【請求項５】
上記排水管は、横方向から上記内壁に沿う方向に曲がるＬ字形状を形成すると共に上記排水ホースを上記内壁に沿う方向に接続するＬ型排水継手を備え、
上記給水管は、横方向から上記内壁に沿う方向に曲がるＬ字形状を形成すると共に上記給水ホースを上記内壁に沿う方向に接続するＬ型給水継手を備えている、請求項３に記載のトイレ装置。
【請求項６】
上記排水管は、さらに、上記内壁の室内側において上記排水ホース側の排水継手と接続されると共に、上記排水ホース側の上記排水継手を取り外すときに、汚水の流出を抑制する汚水流出抑制手段を備えている、請求項１乃至５の何れか一項に記載のトイレ装置。
【請求項７】
上記汚水流出抑制手段は、
上記排水ホース側の上記排水継手と接続され且つ横方向に延びる第１横引管路と、
上記第１横引管路の下流部から下降する下降管路と、
上記下降管路の下流部から横方向に延びる第２横引管路と、
上記第１横引管路の上壁に設けられ、上記排水ホース側の上記排水継手を取り外す前に開状態とすることにより空気を上記第１横引管路の外部から上記第１横引管路内に流入させる空気流入機構とを備える、請求項６に記載のトイレ装置。
【請求項８】
上記給水管は上記内壁において上記荷重伝達部用の孔とは別に開口された給水管用内壁孔及び上記外壁において上記荷重伝達部用の孔とは別に開口された給水管用外壁孔を通され、
上記排水管は上記内壁において上記荷重伝達部用の孔とは別に開口された排水管用内壁孔及び上記外壁において上記荷重伝達部用の孔とは別に開口された排水管用外壁孔を通される、請求項１乃至３の何れか１項に記載のトイレ装置。
【発明の詳細な説明】
【技術分野】
【０００１】
本発明は、トイレ装置に関する。
【背景技術】
【０００２】
従来から、特許文献１に示すように（図２１参照）、トイレ装置３０１として、建物Ａの壁の外側から給水管３２０及び給水ホース３２６を経て洗浄水を給水し、洗浄水を排水ホース３６６から建物Ａの壁の外側の排水管３３８に排水するものが知られている。
【０００３】
このような建物Ａの壁は、図２２に示すように、室内側の内壁Ａ１１、内壁Ａ１１よりも建物躯体側の外壁Ａ１２及び内壁Ａ１１と外壁Ａ１２との間に設けられる間柱Ａ１３から構成される。
【先行技術文献】
【特許文献】
【０００４】
【特許文献１】特開２０１７−１４６９８号
【発明の概要】
【発明が解決しようとする課題】
【０００５】
特許文献１に示すようなトイレ装置３０１は、例えば居室内で移動可能に構成され、移動時に給水ホース３２６及び排水ホース３６６に横向きの引っ張り荷重がかかる場合がある。給水ホース３２６及び排水ホース３６６に横向きの引っ張り荷重がかかる場合、給水ホース３２６及び排水ホース３６６側の継手と、給水管３２０及び排水管３３８側の継手との接続部分が破損する或いは外れる恐れがある。よって、従来、給水ホース３２６及び排水ホース３６６をまとめるホースバンド３６４を設け、給水ホース３２６及び排水ホース３６６に横向きの引っ張り荷重がかかる場合、横向きの引っ張り荷重をホースバンド３６４で受けるように構成されている。このとき、ホースバンド３６４を内壁Ａ１１に直接固定したのでは、内壁Ａ１１は比較的構造強度が低く形成されることが多いため、内壁Ａ１１が引っ張り荷重に耐えられずに破損する恐れがあった。そこで、ホースバンド３６４をふかし壁３０２に固定する必要があった。
【０００６】
ふかし壁３０２は、内壁Ａ１１よりさらに室内空間側に設けられる壁である。ふかし壁３０２は、構造強度を確保するため間柱Ａ１３間において内壁Ａ１１に沿って板状に形成され、ねじにより間柱Ａ１３に固定される。よって、ホースバンド３６４にかかる引っ張り荷重は、ふかし壁３０２に伝達され、さらに間柱Ａ１３に伝達され、間柱Ａ１３から外壁Ａ１２に伝達される。このように、従来においては、引っ張り荷重が、ふかし壁３０２及び間柱Ａ１３を介して建物躯体側の外壁Ａ１２に伝達されていた。
【０００７】
しかしながら、従来のようにふかし壁３０２を内壁Ａ１１よりさらに室内空間側に設ける構造によれば、トイレ装置３０１を設置する室内のスペースが損なわれるという問題がある。また、ふかし壁３０２を設ける位置が間柱Ａ１３の配置に依存するため、施工及びトイレ装置３０１の設置位置の自由度が損なわれるという問題がある。さらに、ふかし壁を室内に形成する手間及び形成する費用がかかるという問題がある。さらに、内壁Ａ１１よりさらに室内空間側に設けられる構造強化用のふかし壁３０２による意匠性の低下を防ぐため、ふかし壁３０２等を覆うような箱状のカバー３０４が形成することが考えられるが、カバー３０４により、トイレ装置３０１を設置する室内のスペースが損なわれるという問題がより顕著となる。
【０００８】
そこで、本発明は、上述した課題を解決するためになされたものであり、従来のふかし壁を形成することを省略することができるトイレ装置を提供することを目的とする。
【課題を解決するための手段】
【０００９】
上述した目的を達成するために、本発明は、トイレ装置であって、便器本体と、建物の室内側の内壁及び上記内壁よりも建物の室外側の外壁を通して延びる給水管であって、上記便器本体に洗浄水を給水し且つ屈曲可能な給水ホースを含む、上記給水管と、上記内壁及び上記外壁を通して延びる排水管であって、上記便器本体から排水を排出し且つ屈曲可能な排水ホースを含む、上記排水管と、上記外壁から上記内壁の室内側の上記給水ホース及び上記排水ホースまで延びると共に上記外壁に対して固定され、上記給水ホース及び上記排水ホースにかかる引っ張り荷重を上記外壁に伝達させる荷重伝達部とを備えることを特徴とする。
このように構成された本発明においては、荷重伝達部が給水ホース及び排水ホースにかかる引っ張り荷重を外壁に伝達させることができるため、従来のふかし壁を形成することを省略することができ、ふかし壁により内壁の室内側のスペースが損なわれることを抑制することができる。また、本発明によれば、従来のふかし壁を形成できる位置の制約によりトイレ装置の施工及び設置位置の自由度が損なわれることが抑制される。さらに、本発明によれば、従来のふかし壁を形成する場合に比べて、ふかし壁を室内に形成する手間を無くすことができ且つふかし壁を形成する費用を抑えることができる。
また、室内で固定されたトイレ装置の便器本体に給水ホース及び排水ホースが接続されている場合にも、使用者が給水ホース及び排水ホースに引っかかる等により給水ホース及び排水ホースに荷重がかかる場合に、荷重伝達部が給水ホース及び排水ホースにかかる引っ張り荷重を外壁に伝達させることができる。
【００１０】
本発明において、好ましくは、上記荷重伝達部は、ねじ締結構造により上記外壁に対して固定される。
このように構成された本発明においては、荷重伝達部が比較的簡易なねじ締結構造により外壁に対して固定されることができ、荷重伝達部が給水ホース及び排水ホースにかかる引っ張り荷重を外壁に伝達させることができる。
【００１１】
本発明において、好ましくは、上記荷重伝達部は、上記給水ホース及び上記排水ホースをまとめるように形成され且つ上記給水ホース及び上記排水ホースにかかる引っ張り荷重を受ける荷重受部を備える。
このように構成された本発明においては、荷重伝達部の荷重受部が給水ホース及び上記排水ホースをまとめるような比較的簡易な構造により形成され、且つ給水ホース及び排水ホースにかかる引っ張り荷重を受けることができる。よって、荷重伝達部が給水ホース及び排水ホースにかかる引っ張り荷重を荷重受部から外壁に伝達させることができる。
【００１２】
本発明において、好ましくは、上記荷重伝達部は、上記内壁に形成された１つの孔及び上記外壁に形成された１つの孔を通って延びる貫通部材を備え、上記貫通部材内に上記給水管及び上記排水管が通される。
このように構成された本発明においては、仮に給水管及び排水管それぞれに対応した孔を内壁及び外壁にそれぞれ形成する場合と比べて、内壁及び外壁にそれぞれ１つの孔を形成すればよいので、壁内に設けられた筋交いに孔を空けることが抑制される。また、仮に内壁及び外壁にそれぞれ複数の孔を開ける場合には、内壁及び外壁においてそれぞれの孔と孔との間の壁面に割れが発生するおそれがあるが、上記のように構成された本発明によれば内壁及び外壁にそれぞれ１つの孔を形成すればよいので、複数の孔の間の壁面に割れが発生するおそれをなくすことができる。
【００１３】
本発明において、好ましくは、上記排水管は、横方向から上記内壁に沿う方向に曲がるＬ字形状を形成すると共に上記排水ホースを上記内壁に沿う方向に接続するＬ型排水継手を備え、上記給水管は、横方向から上記内壁に沿う方向に曲がるＬ字形状を形成すると共に上記給水ホースを上記内壁に沿う方向に接続するＬ型給水継手を備えている。
このように構成された本発明においては、Ｌ型排水継手は排水ホースを内壁に沿う方向に接続し、Ｌ型給水継手は給水ホースを内壁に沿う方向に接続する。よって、給水ホース及び排水ホースにかかる引っ張り荷重を横向きの荷重として荷重受部で受けやすくすることができる。よって、荷重伝達部が給水ホース及び排水ホースにかかる引っ張り荷重を荷重受部から外壁により確実に伝達させることができる。
【００１４】
本発明において、好ましくは、上記排水管は、さらに、上記内壁の室内側において上記排水ホース側の排水継手と接続されると共に、上記排水ホース側の上記排水継手を取り外すときに、汚水の流出を抑制する汚水流出抑制手段を備えている。
このように構成された本発明においては、排水ホース側の排水継手を汚水流出抑制手段から取り外すときに、汚水流出抑制手段が汚水の流出を抑制することができ、汚水が汚水流出抑制手段から室内に垂れることを抑制することができる。
【００１５】
本発明において、好ましくは、上記汚水流出抑制手段は、上記排水ホース側の上記排水継手と接続され且つ横方向に延びる第１横引管路と、上記第１横引管路の下流部から下降する下降管路と、上記下降管路の下流部から横方向に延びる第２横引管路と、上記第１横引管路の上壁に設けられ、上記排水ホース側の上記排水継手を取り外す前に開状態とすることにより空気を上記第１横引管路の外部から上記第１横引管路内に流入させる空気流入機構とを備える。
このように構成された本発明においては、排水ホース側の排水継手を第１横引管路から取り外す前に空気流入機構を開状態とすることにより空気を第１横引管路の外部から第１横引管路内に流入させることができる。よって、第１横引管路の内部に空気が流入した状態で排水ホース側の排水継手を第１横引管路から取り外すことができる。よって、排水ホース側の排水継手を第１横引管路から取り外すときに、汚水が排水ホース側の排水継手又は第１横引管路から室内に垂れることを抑制することができる。
【００１６】
本発明において、好ましくは、上記給水管は上記内壁において上記荷重伝達部用の孔とは別に開口された給水管用内壁孔及び上記外壁において上記荷重伝達部用の孔とは別に開口された給水管用外壁孔を通され、上記排水管は上記内壁において上記荷重伝達部用の孔とは別に開口された排水管用内壁孔及び上記外壁において上記荷重伝達部用の孔とは別に開口された排水管用外壁孔を通される。
このように構成された本発明においては、施工時に内壁及び外壁に孔を開口するにあたり、荷重伝達部用の孔とは別に給水管及び排水管を通すための孔をそれぞれ比較的小さく形成することができる。よって、施工時において比較的大きな開口を内壁及び外壁に形成する手間を軽減することができる。
【発明の効果】
【００１７】
本発明のトイレ装置によれば、従来のふかし壁を形成することを省略することができる。
【図面の簡単な説明】
【００１８】
【図１】本発明の第１実施形態によるポータブルトイレ装置の便器本体を後方斜め上方から見た全体斜視図である。
【図２】本発明の第１実施形態によるポータブルトイレ装置を示す断面図である。
【図３】本発明の第１実施形態によるポータブルトイレ装置において、建物の内壁、間柱及び外壁を一部破断した状態で示し且つ給水管、排水管及び荷重伝達部を内壁の室内側から見た斜視図である。
【図４】図３の給水管、排水管及び荷重伝達部を内壁の室内側から見た正面図である。
【図５】図３の給水管、排水管及び荷重伝達部を建物の内壁、間柱及び外壁を一部破断した状態で上方から見た上面図である。
【図６】図３の給水管、排水管及び荷重伝達部を建物の内壁、間柱及び外壁を一部破断した状態で側方から見た側面図である。
【図７】図４のＶＩＩ−ＶＩＩ線に沿って見た断面図である。
【図８】図４のＶＩＩＩ−ＶＩＩＩ線に沿って見た断面図である。
【図９】本発明の第１実施形態によるポータブルトイレ装置の荷重伝達部を斜め上方から見た斜視図である。
【図１０】本発明の第１実施形態によるポータブルトイレ装置の荷重伝達部の分解斜視図である。
【図１１】本発明の第１実施形態によるポータブルトイレ装置の排水管の汚水流出抑制継手を斜め上方から見た斜視図である。
【図１２】図１１の汚水流出抑制継手の正面図である。
【図１３】図１２のＸＩＩＩ−ＸＩＩＩ線に沿って見た断面図である。
【図１４】本発明の第１実施形態によるポータブルトイレ装置における便器本体からの排水の終了後の待機状態において、空気流入機構を閉状態としている場合の汚水の位置を模式的に示した図である。
【図１５】本発明の第１実施形態によるポータブルトイレ装置における便器本体からの排水の終了後の待機状態において、空気流入機構を閉状態から開状態とした場合の汚水の位置を模式的に示した図である。
【図１６】本発明の第２実施形態によるポータブルトイレ装置において、建物の内壁、間柱及び外壁を一部破断した状態で示し且つ給水管、排水管及び荷重伝達部を内壁の室内側から見た斜視図である。
【図１７】図１６の給水管、排水管及び荷重伝達部を内壁の室内側から見た正面図である。
【図１８】図１６の給水管、排水管及び荷重伝達部を建物の内壁、間柱及び外壁を一部破断した状態で側方から見た側面図である。
【図１９】図１７のＸＩＸ−ＸＩＸ線に沿って見た断面図である。
【図２０】図１７のＸＸ−ＸＸ線に沿って見た断面図である。
【図２１】従来のトイレ装置の全体構成図である。
【図２２】従来のトイレ装置において建物の内壁、間柱、外壁及びふかし壁等を一部破断した状態で示し且つ給水ホース、排水ホース及びホースバンドを上方から見た構成図である。
【発明を実施するための形態】
【００１９】
次に、添付図面を参照して、本発明の第１実施形態によるポータブルトイレ装置について説明する。図１は本発明の第１実施形態によるポータブルトイレ装置の便器本体を後方斜め上方から見た全体斜視図であり、図２は本発明の第１実施形態によるポータブルトイレ装置を示す断面図である。最初に、図１及び図２により、本発明の第１実施形態によるポータブルトイレ装置の全体構造を説明する。
【００２０】
図１に示すように、本発明の第１実施形態によるトイレ装置であるポータブルトイレ装置１は、便所以外の場所にも配置できる水洗式のトイレ装置であり、戸建て住宅、高齢者施設又は病院等（以下「建物」と称する）において、通常のトイレ空間以外の場所、例えば、介護用に使用者の居室、寝室内のベッドサイド等に配置されるトイレ装置として使用される。高齢者や病気の人などで、トイレまで歩いていくことが困難又は比較的負担に感じる人にも、自分で居室において使用することができる水洗式のトイレ装置となっている。
【００２１】
ポータブルトイレ装置１は、便器本体２と、便器本体２に洗浄水を供給する給水装置である給水部４と、便器本体２を支持するフレーム６と、を備えている。
【００２２】
ポータブルトイレ装置１は、室内で移動可能に構成された非据え付け型のトイレ装置である。ポータブルトイレ装置１は、フレーム６のフレーム基部６ａが便器本体２等が設置される床面Ｆに固定されておらず、使用者等の人によって車輪１ａ等を利用して移動可能に形成されている。
なお、本発明におけるトイレ装置は、移動可能に構成されたトイレ装置に限るものではなく、ポータブルトイレ装置１を、固定式のトイレ装置に変更することができる。この場合、室内で固定されたトイレ装置の便器本体２に後述する給水ホース５２及び排水ホース５４が接続される。
【００２３】
図２に示すように、給水部４は、建物Ａ側の給水設備と後述する給水管８を介して接続されている。給水部４は、便器本体２の後方上部に設けられ、ボウル部１０に形成された吐水口１０ａからボウル部１０に洗浄水を供給する。なお、給水部４は、給水管８から給水された水を一旦貯水タンクに貯水し、この貯水タンクから洗浄水をボウル部１０に供給するタンク方式のものであってもよい。以下、本実施形態における説明において、ポータブルトイレ装置１を使用する使用者側（ポータブルトイレ装置１を使用するためにポータブルトイレ装置１の前に立っている使用者側）から見て手前側を前方側とし、使用者から見て奥側を後方側として説明している。
【００２４】
便器本体２は、便器本体２の前方側に設けられた汚物を受けるボウル部１０と、ボウル部１０の底部と連通するように設けられて汚物を洗浄水と共に排出する排出路である排水トラップ管路１２とを備えている。
【００２５】
ボウル部１０は、汚物を受ける汚物受け面１０ｂと、汚物受け面１０ｂの下部から上下方向に延びる筒状部分１０ｃと、筒状部分１０ｃの下端から外側に延びる粉砕室１０ｄとを備えている。
【００２６】
汚物受け面１０ｂはすり鉢状に形成されている。汚物受け面１０ｂには、洗浄開始前において、貯留された溜水の溜水面Ｗ０（待機状態の溜水面）が形成される。粉砕室１０ｄは、後方側に広がる小室を形成する。
【００２７】
排水トラップ管路１２は、ボウル部１０の底面に接続する接続部１２ａと、排水トラップの頂点における頂部１２ｂと、床面Ｆのわずかに上方且つ床面Ｆとほぼ平行に延びる横向部１２ｃとを備えている。
【００２８】
排水トラップ管路１２の接続部１２ａは、フィルタ３８の孔４８と連通している。排水トラップ管路１２は、接続部１２ａから頂部１２ｂまで上昇した後に横向部１２ｃまで下降することにより凸形状の排水トラップ構造を形成する。頂部１２ｂは、排水トラップ構造の折り返し部分を形成している。頂部１２ｂの底面の高さがボウル部１０の初期水位の溜水面Ｗ０の高さを規定する。
【００２９】
ポータブルトイレ装置１は、さらに、ボウル部１０内で汚物を粉砕する粉砕装置１８と、ボウル部１０内の洗浄水を下流側に排出させる排出ポンプ２０と、使用者が操作する操作部（図示せず）と、ポータブルトイレ装置１の洗浄動作及び粉砕圧送動作等を制御する制御部２４と、排水トラップ管路１２に接続された通気弁管路３４と、通気弁管路３４に設けられた通気弁３６と、ボウル部１０と排出ポンプ２０との間に設けられるフィルタ３８と、を備えている。
【００３０】
粉砕装置１８は、粉砕室１０ｄ内に配置されると共に汚物を粉砕するようにボウル部１０の溜水内に回転流を形成する回転体２６と、回転体２６の回転軸２８と、回転体２６及び回転軸２８を駆動させる電動モーター３０とを備えている。粉砕装置１８の回転体２６は、自身の回転によりボウル部１０の溜水内に旋回流（回転流）を発生させ、汚物を粉砕する。回転体２６は、円盤状に形成されている。回転軸２８は、天井面１０ｅから下方に延びている。電動モーター３０は、制御部２４と電気的に接続され、制御部２４により制御されるようになっている。
【００３１】
排出ポンプ２０は、高揚程が実現可能な遠心式ポンプを形成している。排出ポンプ２０は、ボウル部１０内で粉砕した汚物を洗浄水とともに圧送して排水トラップ管路１２及び排水管１６を介し排出させる。排出ポンプ２０は、ポンプ室４０と、ポンプ室４０の内側で回転されるインペラ４２と、インペラ４２の回転軸４４と、インペラ４２及び回転軸４４を駆動させる電動モーター４６とを備えている。
【００３２】
ポンプ室４０の中央部の入口には、接続部１２ａが接続される。インペラ４２の回転によって発生する遠心力により、汚物及び洗浄水がポンプ室４０から排水トラップ管路１２に向かって押し出され、且つ圧送される。
【００３３】
制御部２４は、使用者による操作部の操作又は自己の設定により、給水部４、粉砕装置１８及び排出ポンプ２０を制御する。制御部２４は、これらの制御を行うためのＣＰＵ、メモリ等を内蔵している。制御部２４は、給水部４、粉砕装置１８及び排出ポンプ２０等と電気的に接続され、これらの装置等に作動信号を送り、各装置等を作動させるようになっており、また、これらの装置等から電気信号を受けて各装置等の制御を行うことができる。
【００３４】
通気弁管路３４の一端は、排水トラップ管路１２の頂部１２ｂに接続されている。また、通気弁管路３４の他端は、ボウル部１０の汚物受け面１０ｂの吐水口１０ａより上部に接続されている。通気弁管路３４は、ボウル部１０と排水トラップ管路１２とを通気弁３６を介して連通する。
【００３５】
通気弁３６は、排水トラップ管路１２にボウル部１０側の外部空気を取り入れる機能を有する。通気弁３６は、所定圧力以下の負圧により開弁する。通気弁３６は、排出ポンプ２０が洗浄水を下流側に排出することにより、排水トラップ管路１２又は排水管１６においてサイホン現象が発生した場合には、このサイホン現象による所定圧力以下の負圧により開弁する弁機構を有する。通気弁３６は、例えばアンブレラバルブが適用可能である。通気弁３６は、サイホン現象が発生した場合にサイホン現象を早期に強制的に終了させることができる。
【００３６】
次に、図２乃至図１０に示すように、ポータブルトイレ装置１の給水管８、排水管１６及び荷重伝達部５０についてより詳細に説明する。
図３は本発明の第１実施形態によるポータブルトイレ装置において、建物の内壁、間柱及び外壁を一部破断した状態で示し且つ給水管、排水管及び荷重伝達部を内壁の室内側から見た斜視図であり、図４は図３の給水管、排水管及び荷重伝達部を内壁の室内側から見た正面図であり、図５は図３の給水管、排水管及び荷重伝達部を建物の内壁、間柱及び外壁を一部破断した状態で上方から見た上面図であり、図６は図３の給水管、排水管及び荷重伝達部を建物の内壁、間柱及び外壁を一部破断した状態で側方から見た側面図であり、図７は図４のＶＩＩ−ＶＩＩ線に沿って見た断面図であり、図８は図４のＶＩＩＩ−ＶＩＩＩ線に沿って見た断面図である。図９は本発明の第１実施形態によるポータブルトイレ装置の荷重伝達部を斜め上方から見た斜視図であり、図１０は本発明の第１実施形態によるポータブルトイレ装置の荷重伝達部の分解斜視図である。
【００３７】
図２乃至図６に示すように、ポータブルトイレ装置１は、さらに、建物Ａの室内側の内壁Ａ１及び内壁Ａ１よりも建物の室外側の外壁Ａ２を通して延びる給水管８と、建物Ａの内壁Ａ１及び内壁Ａ１よりも建物の室外側の外壁Ａ２を通して延びる排水管１６と、給水管８の給水ホース５２及び排水管１６の排水ホース５４にかかる引っ張り荷重を外壁Ａ２に伝達させる荷重伝達部５０とを備えている。
以下、本実施形態における説明において、建物Ａの内壁Ａ１及び外壁Ａ２より室内側をそれぞれ内側とし、室内側と反対をそれぞれ外側として説明している。
【００３８】
ここで、建物Ａの外壁Ａ２は、内壁Ａ１よりも厚い板材により形成されている。外壁Ａ２は、内壁Ａ１よりも高い構造強度を有している。外壁Ａ２は、内壁Ａ１よりも建物構造躯体側に配置され、建物構造躯体を形成している。このように、外壁Ａ２は、給水ホース５２及び排水ホース５４にかかる引っ張り荷重に耐える十分な構造強度を有している。外壁Ａ２と内壁Ａ１との間には空間Ｂが形成されている。空間Ｂにおいて外壁Ａ２と内壁Ａ１とは間柱Ａ３により接続されている。間柱Ａ３は、内壁Ａ１を外壁Ａ２に接続することにより内壁Ａ１にかかる荷重を外壁Ａ２に伝達する。内壁Ａ１は、壁紙等を張る内装用の壁を形成する。内壁Ａ１は、比較的低い構造強度により形成される。内壁Ａ１の内側（室内側）には室内空間Ｃが形成される。建物Ａは木造の建物であるが、ビル等の鉄筋構造の建物であってもよい。
【００３９】
給水管８は、便器本体２に洗浄水を給水する給水ホース５２を含んでいる。給水ホース５２は屈曲可能であり、可撓性の管路を形成している。給水ホース５２は、室内空間Ｃにおいて内壁Ａ１近傍から便器本体２まで延び、便器本体２の給水部４に接続されている。
【００４０】
排水管１６は、便器本体２から排水を排出する排水ホース５４を含んでいる。排水ホース５４は屈曲可能であり、可撓性の管路を形成している。排水ホース５４は、室内空間Ｃにおいて内壁Ａ１近傍から便器本体２まで延び、便器本体２の横向部１２ｃに接続されている。
【００４１】
図７乃至図１０に示すように、荷重伝達部５０は、外壁Ａ２から内壁Ａ１の室内側の給水ホース５２及び排水ホース５４まで延びると共に外壁Ａ２に対して直接に固定される。
荷重伝達部５０は、給水ホース５２及び排水ホース５４をひとまとめにするように形成され且つ給水ホース５２及び排水ホース５４にかかる引っ張り荷重を受ける荷重受部５６と、内壁Ａ１に形成された１つの孔である内壁孔Ｄ１（図８参照）及び外壁Ａ２に形成された１つの孔である外壁孔Ｄ２を通って２つの壁を貫通するように延びる貫通部材５８と、貫通部材５８とねじ締結されるナット６０とを備えている。
【００４２】
荷重受部５６は、内壁Ａ１に沿うように延びるプレート６２と、プレート６２に取付けられたホースバンド６４とを備えている。プレート６２は金属により形成され、給水ホース５２及び排水ホース５４にかかる横向きの引っ張り荷重を受ける強度を備えている。プレート６２には、その上部において内壁孔Ｄ１とほぼ同じ大きさ且つ円形のプレート孔６６が形成されている。プレート孔６６は、貫通部材５８を挿入することができる大きさに形成される。プレート６２におけるプレート孔６６の周囲の環状部分６８は、貫通部材５８の後述するつば部７２と係合し、貫通部材５８と荷重受部５６のプレート６２とが強固に固定される。
【００４３】
プレート６２の下部には、ホースバンド６４が取付けられている。ホースバンド６４は、給水ホース５２及び排水ホース５４をひとまとめにするようなリング形状に形成される。ホースバンド６４は帯状に形成される。ホースバンド６４は、ホースバンド６４自身の長さを可変にするような構造を備えていてもよい。ホースバンド６４の長さを短くすることにより、給水ホース５２及び排水ホース５４を縛るようにひとまとめにすることができる。ホースバンド６４は金属により形成されている。ホースバンド６４は樹脂製のバンドであってもよい。ホースバンド６４は、給水ホース５２及び排水ホース５４を囲うように配置される。
【００４４】
貫通部材５８は、内壁Ａ１の内側から外壁Ａ２の外側まで直線的に延びる。貫通部材５８は、内壁Ａ１の内側から外壁Ａ２の外側まで延びる円筒部分５９と、円筒部分５９の内側の端部に設けられた継手取付部７０と、円筒部分５９の内側の端部において外側に広がるつば部７２と、円筒部分５９の外側の端部近傍に形成される外ねじ７４とを備えている。貫通部材５８は、つば部７２及び外ねじ７４によりボルト状の構造を形成している。
【００４５】
円筒部分５９は円筒状に形成され、その内部は中空に形成されている。円筒部分５９内には給水管８及び排水管１６が通される。円筒部分５９は、内壁Ａ１から外壁Ａ２まで１つの貫通孔を形成し、その内部に給水管８及び排水管１６を配置しやすくすることができる。
【００４６】
継手取付部７０には、２つの小孔である第１小孔７６及び第２小孔７８が形成されている。第１小孔７６及び第２小孔７８は、異なる口径に形成されている。第２小孔７８の口径は、第１小孔７６の口径よりも大きい。
つば部７２は、継手取付部７０の外周から環状に広がるように形成されている。つば部７２は、内壁孔Ｄ１の径よりも大きな径に形成される。
外ねじ７４は、貫通部材５８の円筒部分５９の外面に形成されている。外ねじ７４は、貫通部材５８の外側の端部から内側向きに所定距離にわたって形成されている。
【００４７】
ナット６０は、貫通部材５８の外ねじ７４と螺合する内ねじ８０を内面に形成する。ボルト状の貫通部材５８とナット６０とにより外壁Ａ２の外側から内壁Ａ１の室内側におけるプレート６２の内側まで延びるねじ締結構造が形成される。貫通部材５８の円筒部分５９を内壁Ａ１及び外壁Ａ２を貫通するように配置した状態で、ねじ締結構造によりナット６０を円筒部分５９に対して締め、内壁Ａ１の室内側の貫通部材５８のつば部７２と外壁Ａ２の外側のナット６０との間で荷重受部５６、貫通部材５８及びナット６０が内壁Ａ１及び外壁Ａ２に対して強固に固定される。このように、荷重伝達部５０は、ねじ締結構造により外壁Ａ２に対して固定される。
なお、変形例として、貫通部材５８のつば部７２が外壁Ａ２の外側に配置され、ナット６０が内壁Ａ１の室内側に配置され、ねじ締結構造によりナット６０を円筒部分５９に対して締め、内壁Ａ１の室内側のナット６０と外壁Ａ２の外側の貫通部材５８のつば部７２との間で荷重受部５６、貫通部材５８及びナット６０が内壁Ａ１及び外壁Ａ２に対して強固に固定されてもよい。
【００４８】
次に、第１実施形態において、図８を参照して、荷重伝達部５０における荷重の伝達経路について説明する。
矢印Ｅ１に示すように給水ホース５２及び排水ホース５４に横向きの引っ張り荷重がかかる場合に、給水ホース５２及び排水ホース５４がホースバンド６４と接し且つ引っ掛かることにより、矢印Ｅ２に示すように横向きの引っ張り荷重がホースバンド６４に伝達される。
【００４９】
ホースバンド６４に伝達された横向きの引っ張り荷重は、矢印Ｅ３に示すようにプレート６２の下部に伝達される。プレート６２の下部に伝達された横向きの引っ張り荷重は、プレート６２の上部に伝達され、矢印Ｅ４に示すように環状部分６８に伝達される。よって、矢印Ｅ５に示すように貫通部材５８のつば部７２に横向きの引っ張り荷重が伝達され、貫通部材５８に横向きの引っ張り荷重が伝達される。貫通部材５８とナット６０とはねじ締結されているので、矢印Ｅ６に示すようにナット６０に横向きの引っ張り荷重が伝達される。ナット６０は外壁Ａ２に接しているので、ナット６０の横向きの引っ張り荷重が矢印Ｅ７に示すように外壁Ａ２に伝達される。
このように、荷重伝達部５０は、給水ホース５２及び排水ホース５４にかかる引っ張り荷重を外壁Ａ２に伝達させることができ、給水ホース５２及び排水ホース５４が横向きに引っ張られて後述するホース側と建物配管側との継手同士の接続部分が破損する或いは外れる、又は各ホースと継手との接続部分が破損する或いは外れる等の不具合を生じることが抑制される。
【００５０】
次に、図７及び図８、図１１乃至図１３を参照して、給水管８及び排水管１６について説明する。
図１１は本発明の第１実施形態によるポータブルトイレ装置の排水管の汚水流出抑制継手を斜め上方から見た斜視図であり、図１２は図１１の汚水流出抑制継手の正面図であり、図１３は図１２のＸＩＩＩ−ＸＩＩＩ線に沿って見た断面図である。
【００５１】
図７に示すように、給水管８は、縦方向に延びる内壁Ａ１に対する横方向（貫通部材５８の延びる方向）から内壁Ａ１に沿う方向に曲がるＬ字形状を形成すると共に給水ホース５２を内壁Ａ１に沿う方向に接続するＬ型給水継手８２と、外壁Ａ２の外側から内壁Ａ１の内側まで延びる硬質給水管８４と、内壁Ａ１の室内側において給水ホース５２側の給水継手であるＬ型給水継手８２と接続される建物配管側給水継手８６とを備えている。なお、横方向は、例えば床面Ｆとほぼ平行な方向であるが、これに限られず、鉛直方向以外の斜め方向又は水平方向等であってもよい。
Ｌ型給水継手８２は止水栓構造（図示せず）を備えている。Ｌ型給水継手８２は横方向から下方向に向かう屈曲流路を形成する。
硬質給水管８４は、建物側の建物配管として設けられる硬質性の配管である。硬質給水管８４は、横向きに直線的に延びている。
建物配管側給水継手８６は、硬質給水管８４の下流端に設けられている。建物配管側給水継手８６は、Ｌ型給水継手８２と接続され且つＬ型給水継手８２と着脱可能に形成されている。建物配管側給水継手８６は、貫通部材５８の継手取付部７０の小孔のうち一方の第１小孔７６内に配置される。第１小孔７６が建物配管側給水継手８６及び硬質給水管８４の径の大きさに合わせて形成されているので、貫通部材５８内に建物配管側給水継手８６及び硬質給水管８４が配置されやすくなっている。
【００５２】
図８、図１１乃至図１３に示すように、排水管１６は、縦方向に延びる内壁Ａ１に対する横方向（貫通部材５８の延びる方向）から内壁Ａ１に沿う方向に曲がるＬ字形状を形成すると共に排水ホース５４を内壁Ａ１に沿う方向に接続するＬ型排水継手８８と、内壁Ａ１の内側から外壁Ａ２の外側まで延びる硬質排水管９０と、内壁Ａ１の室内側において排水ホース５４側の排水継手であるＬ型排水継手８８と接続される汚水流出抑制手段である汚水流出抑制継手９２とを備えている。
【００５３】
Ｌ型排水継手８８は、排水ホース５４を内壁Ａ１に沿う方向に接続した状態で排水ホース側流路を構成する。Ｌ型排水継手８８は横方向から下方向に向かう屈曲流路を形成する。Ｌ字形状の屈曲は、直角の屈曲に限られず、緩やかに湾曲する湾曲形状の屈曲を含む。なお、排水管１６は、排水ホース５４側の排水継手として他の形状の排水継手、例えば直線状排水継手を備えていてもよい。
硬質排水管９０は、建物側の建物配管として設けられる硬質性の配管である。硬質排水管９０は、横向きに直線的に延びている。硬質排水管９０及びＬ型排水継手８８の流路の径は、汚物を排出しやすくするように、硬質給水管８４及びＬ型給水継手８２の径よりも大きい。硬質排水管９０は、その下流端において下方向きに延びる縦硬質排水管９１と接続されている。
【００５４】
図８、図１１乃至図１３に示すように、汚水流出抑制継手９２は、Ｌ型排水継手８８を取り外すときに、便器本体２から排出された汚水の流出を抑制するように形成されている。汚水流出抑制継手９２は、硬質排水管９０の上流端に設けられている。汚水流出抑制継手９２は、建物配管側の排水継手である。汚水流出抑制継手９２は、Ｌ型排水継手８８と接続され且つＬ型排水継手８８と着脱可能に形成されている。汚水流出抑制継手９２の後述する第２横引管路９８は、貫通部材５８の継手取付部７０の小孔のうち他方の第２小孔７８内に配置される。第２小孔７８が汚水流出抑制継手９２及び硬質排水管９０の径の大きさに合わせて形成されているので、貫通部材５８内に汚水流出抑制継手９２及び硬質排水管９０が配置されやすくなっている。なお、汚水流出抑制継手９２は、排水継手に限られず、排水ホース５４側の流路と接続及び取り外しが可能な構造であればよい。
【００５５】
汚水流出抑制継手９２は、排水ホース５４側のＬ型排水継手８８と接続され且つ横方向に延びる第１横引管路９４と、第１横引管路９４の下流部から下降する下降管路９６と、下降管路９６の下流部から横方向に延びる第２横引管路９８と、第１横引管路９４の上部壁に設けられる空気流入機構１００とを備える。汚水流出抑制継手９２は、第１横引管路９４と、下降管路９６と、第２横引管路９８とによりＳ字形状のＳ型排水継手を形成している。
【００５６】
第１横引管路９４は、第２横引管路９８及び硬質排水管９０よりも一段高い位置の流路を形成する。第１横引管路９４は、第２小孔７８よりも高い高さに配置される。下降管路９６は縦方向の流路を形成する。第２横引管路９８は、硬質排水管９０と接続されている。
【００５７】
空気流入機構１００は、排水ホース５４側のＬ型排水継手８８を取り外す前に自身を開状態とすることにより空気を第１横引管路９４の外部から第１横引管路９４内に流入させるように形成されている。空気流入機構１００は、下降管路９６の上方且つ第１横引管路９４の天井面に配置されている。空気流入機構１００は、第１横引管路９４の上部壁に形成された空気流入孔１０２に取付けられるキャップ１０４を備えている。キャップ１０４はパッキン（図示せず）を備え、空気流入孔１０２をシールできるようになっている。キャップ１０４を空気流入孔１０２から取り外すことにより、空気流入孔１０２は第１横引管路９４の内部と外部を連通させ、空気流入機構１００は開状態とされる。キャップ１０４を空気流入孔１０２に取付けることにより、空気流入孔１０２はシールされた状態となり、空気流入機構１００は閉状態とされる。
【００５８】
次に、図１４乃至図１５により、上述した本発明の第１実施形態によるポータブルトイレ装置１における便器本体２からの排水の終了後の待機状態において、空気流入機構１００を閉状態から開状態とした場合の動作（作用）を説明する。図１４及び図１５において、便器本体２から排出される汚水が存在している部分を点線により図示している。
図１４は、本発明の第１実施形態によるポータブルトイレ装置における便器本体からの排水の終了後の待機状態において、空気流入機構を閉状態としている場合の汚水の位置を模式的に示した図である。
図１５は、本発明の第１実施形態によるポータブルトイレ装置における便器本体からの排水の終了後の待機状態において、空気流入機構を閉状態から開状態とした場合の汚水の位置を模式的に示した図である。
【００５９】
図１４においては、ポータブルトイレ装置１における便器本体２からの排水の終了後の待機状態において、空気流入機構１００は閉状態とされている。
待機状態において、ボウル部１０内の水位は溜水面Ｗ０を形成する封水水位Ｇ１となっている。排水トラップ管路１２の頂部１２ｂより上流側の水位は封水水位Ｇ１となっている。排水トラップ管路１２の頂部１２ｂより下流側の水位は硬質排水管９０の高さの水位Ｇ２となる。排水ホース５４、Ｌ型排水継手８８、汚水流出抑制継手９２及び硬質排水管９０は、水が満たされた状態となっている。
仮に、この状態でＬ型排水継手８８を汚水流出抑制継手９２から取り外せば、汚水がＬ型排水継手８８又は汚水流出抑制継手９２から室内空間Ｃ内に垂れるという問題が生じる。
【００６０】
図１５においては、ポータブルトイレ装置１における便器本体２からの排水の終了後の待機状態において、空気流入機構１００を閉状態から開状態とする操作が行われる。
空気流入機構１００を閉状態から開状態とする操作を行った場合において、ボウル部１０内の水位は封水水位Ｇ１のままである。排水トラップ管路１２の頂部１２ｂより上流側の水位も封水水位Ｇ１である。
空気流入機構１００を閉状態から開状態とする操作を行った場合、キャップ１０４が空気流入孔１０２から取り外される。よって、矢印Ｈに示すように、空気が第１横引管路９４の外部から内部に流入する。第１横引管路９４内に空気が流入するため、第１横引管路９４内の水が排水ホース５４及び下降管路９６に流下し、第１横引管路９４が空気で満たされた状態となる。第１横引管路９４より上流側においては、排水トラップ管路１２の頂部１２ｂより下流側の水位と、第１横引管路９４より上流側のＬ型排水継手８８近傍の水位とが水位Ｇ３においてバランスする。第１横引管路９４より下流側の水位は硬質排水管９０の高さの水位Ｇ２となる。
【００６１】
このように、空気流入機構１００を閉状態から開状態とする操作を行った場合、第１横引管路９４は空気で満たされた状態となる。Ｌ型排水継手８８と汚水流出抑制継手９２との間において、水位がＬ型排水継手８８と汚水流出抑制継手９２との接続部分よりも下方に下げられている。よって、Ｌ型排水継手８８を汚水流出抑制継手９２から取り外すときに、汚水がＬ型排水継手８８又は汚水流出抑制継手９２から室内空間Ｃ内に垂れることを抑制することができる。
【００６２】
変形例として、排水管１６の汚水流出抑制継手９２は、排水流路を止水する止水栓を備えた排水継手であってもよい。このような排水継手は、汚水流出抑制継手９２の第１横引管路９４、下降管路９６、第２横引管路９８及び空気流入機構１００の構造を備えずに既存の止水栓を採用して形成することができる。止水栓のバルブの開閉により排水継手内の排水流路を開状態と閉状態とを変更することができる。この排水継手に設けられた止水栓を閉状態とした場合に、Ｌ型排水継手８８をこの排水継手から取り外せば、取り外すときに、汚水がＬ型排水継手８８又はこの排水継手から室内空間Ｃ内に垂れることを抑制することができる。なお、この止水栓付き排水継手は、他の形状の排水継手、例えばＬ型排水継手として形成されてもよい。また、止水栓付き排水継手は、他の形状の排水継手、例えば直線状排水継手として形成されてもよい。
【００６３】
さらに別の変形例として、排水管１６の汚水流出抑制継手９２は、Ｌ字形状に屈曲するＬ型排水継手部と、このＬ型排水継手部と硬質排水管９０とを接続する第１クイックファスナと、このＬ型排水継手部と排水ホース５４側の排水継手とを接続する第２クイックファスナと、を備えた回動可能排水継手であってもよい。このような回動可能排水継手は、汚水流出抑制継手９２の第１横引管路９４、下降管路９６、第２横引管路９８及び空気流入機構１００の構造を備えずに、Ｌ型排水継手部を回動させて、Ｌ型排水継手部の上流端を上向きに配置した状態で接続部を取り外すことで、汚水が垂れることを抑制することができる。
設置された状態では、Ｌ型排水継手部の上流端は下向きに配置され、排水ホース５４側の排水継手と接続されている。回動可能排水継手の接続部を外そうとする場合には、先ず、排水ホース５４の内壁Ａ１側の部分を排水ホース５４側の排水継手よりも高い状態まで持ち上げた状態とする。この持ち上げた状態において、Ｌ型排水継手部の上流端が下向きから上向きに回動された状態とされる。すなわち、Ｌ型排水継手部の上流端が、Ｌ型排水継手部の下流端よりも高い位置に位置する。よって、持ち上げた状態では、排水ホース５４側の排水継手と、Ｌ型排水継手部の上流端との接続部には汚水が存在しない状態とすることができる。この状態で、第２クイックファスナの接続を解除し、排水ホース５４側の排水継手を取り外すことができる。よって、排水ホース５４側の排水継手を取り外すときに、汚水が排水ホース５４側の排水継手又はこのＬ型排水継手部から室内空間Ｃに垂れることを抑制することができる。
【００６４】
次に、上述した第１実施形態によるポータブルトイレ装置１による作用効果を説明する。
本発明の第１実施形態によるポータブルトイレ装置１によれば、荷重伝達部５０が給水ホース５２及び排水ホース５４にかかる引っ張り荷重を外壁Ａ２に伝達させることができるため、従来のふかし壁３０２を形成することを省略することができ、ふかし壁３０２により内壁Ａ１の室内側のスペースが損なわれることを抑制することができる。また、本発明によれば、従来のふかし壁３０２を形成できる位置の制約によりポータブルトイレ装置１の施工及び設置位置の自由度が損なわれることが抑制される。さらに、本発明によれば、従来のふかし壁３０２を形成する場合に比べて、ふかし壁３０２を室内に形成する手間を無くすことができ且つふかし壁３０２を形成する費用を抑えることができる。
また、室内で固定されたトイレ装置の便器本体２に給水ホース５２及び排水ホース５４が接続されている場合にも、使用者が給水ホース５２及び排水ホース５４に引っかかる等により給水ホース５２及び排水ホース５４に荷重がかかる場合に、荷重伝達部５０が給水ホース５２及び排水ホース５４にかかる引っ張り荷重を外壁Ａ２に伝達させることができる。
【００６５】
また、本発明の第１実施形態によるポータブルトイレ装置１によれば、荷重伝達部５０が比較的簡易なねじ締結構造により外壁Ａ２に対して固定されることができ、荷重伝達部５０が給水ホース５２及び排水ホース５４にかかる引っ張り荷重を外壁Ａ２に伝達させることができる。
【００６６】
さらに、本発明の第１実施形態によるポータブルトイレ装置１によれば、荷重伝達部５０の荷重受部５６が給水ホース５２及び排水ホース５４をまとめるような比較的簡易な構造により形成され、且つ給水ホース５２及び排水ホース５４にかかる引っ張り荷重を受けることができる。よって、荷重伝達部５０が給水ホース５２及び排水ホース５４にかかる引っ張り荷重を荷重受部５６から外壁Ａ２に伝達させることができる。
【００６７】
さらに、本発明の第１実施形態によるポータブルトイレ装置１によれば、仮に給水管８及び排水管１６それぞれに対応した孔を内壁Ａ１及び外壁Ａ２にそれぞれ形成する場合と比べて、内壁Ａ１及び外壁Ａ２にそれぞれ１つの孔、内壁孔Ｄ１及び外壁孔Ｄ２を形成すればよいので、壁内に設けられた筋交いに孔を空けることが抑制される。また、仮に内壁Ａ１及び外壁Ａ２にそれぞれ複数の孔を開ける場合には、内壁及び外壁においてそれぞれの孔と孔との間の壁面に割れが発生するおそれがあるが、上記のように構成された本発明によれば内壁Ａ１及び外壁Ａ２にそれぞれ１つの孔、内壁孔Ｄ１及び外壁孔Ｄ２を形成すればよいので、複数の孔の間の壁面に割れが発生するおそれをなくすことができる。
【００６８】
さらに、本発明の第１実施形態によるポータブルトイレ装置１によれば、Ｌ型排水継手８８は排水ホース５４を内壁Ａ１に沿う方向に接続し、Ｌ型給水継手８２は給水ホース５２を内壁Ａ１に沿う方向に接続する。よって、給水ホース５２及び排水ホース５４にかかる引っ張り荷重を横向きの荷重として荷重受部５６で受けやすくすることができる。よって、荷重伝達部５０が給水ホース５２及び排水ホース５４にかかる引っ張り荷重を荷重受部５６から外壁Ａ２により確実に伝達させることができる。
【００６９】
さらに、本発明の第１実施形態によるポータブルトイレ装置１によれば、排水ホース側の排水継手を汚水流出抑制継手９２から取り外すときに、汚水流出抑制継手９２が汚水の流出を抑制することができ、汚水が汚水流出抑制継手９２から室内に垂れることを抑制することができる。
【００７０】
さらに、本発明の第１実施形態によるポータブルトイレ装置１によれば、排水ホース側の排水継手を第１横引管路９４から取り外す前に空気流入機構１００を開状態とすることにより空気を第１横引管路９４の外部から第１横引管路９４内に流入させることができる。よって、第１横引管路９４の内部に空気が流入した状態で排水ホース側の排水継手を第１横引管路９４から取り外すことができる。よって、排水ホース側の排水継手を第１横引管路９４から取り外すときに、汚水が排水ホース側の排水継手又は第１横引管路９４から室内に垂れることを抑制することができる。
【００７１】
次に、図１６乃至図２０により、本発明の第２実施形態によるポータブルトイレ装置２０１を説明する。第２実施形態は、本発明によるポータブルトイレ装置の荷重伝達部を異なる形状とした例である。
図１６は本発明の第２実施形態によるポータブルトイレ装置において、建物の内壁、間柱及び外壁を一部破断した状態で示し且つ給水管、排水管及び荷重伝達部を内壁の室内側から見た斜視図であり、図１７は図１６の給水管、排水管及び荷重伝達部を内壁の室内側から見た正面図であり、図１８は図１６の給水管、排水管及び荷重伝達部を建物の内壁、間柱及び外壁を一部破断した状態で側方から見た側面図であり、図１９は図１７のＸＩＸ−ＸＩＸ線に沿って見た断面図であり、図２０は図１７のＸＸ−ＸＸ線に沿って見た断面図である。
第２実施形態によるトイレ装置であるポータブルトイレ装置２０１は、上述した第１実施形態によるポータブルトイレ装置１と構造がほぼ同じであるため、本発明の第２実施形態の第１実施形態とは異なる点のみを説明し、同様な部分については図面に同じ参照符号を付して説明を省略する。
【００７２】
ポータブルトイレ装置２０１は、建物Ａの内壁Ａ１及び外壁Ａ２を通して延びる給水管８と、建物Ａの内壁Ａ１及び外壁Ａ２を通して延びる排水管１６と、給水管８の給水ホース５２及び排水管１６の排水ホース５４にかかる引っ張り荷重を外壁Ａ２に伝達させる荷重伝達部２５０とを備えている。
【００７３】
荷重伝達部２５０は、外壁Ａ２から内壁Ａ１の室内側の給水ホース５２及び排水ホース５４まで延びると共に外壁Ａ２に対して直接に固定される。荷重伝達部２５０は、給水ホース５２及び排水ホース５４をまとめるように形成され且つ給水ホース５２及び排水ホース５４にかかる引っ張り荷重を受ける荷重受部２５６と、内壁Ａ１に形成された孔である第１内壁孔Ｄ２１と外壁Ａ２に形成された孔である第１外壁孔Ｄ２２とを貫通するように延びる貫通部材２５８と、貫通部材２５８とねじ締結されるナット２６０とを備えている。
内壁Ａ１には、貫通部材２５８が配置される荷重伝達部２５０用の第１内壁孔Ｄ２１とは別に、給水管８が通される第２内壁孔Ｄ２３（給水管用内壁孔）と、排水管１６が通される第３内壁孔Ｄ２４（排水管用内壁孔）がそれぞれ形成されている。外壁Ａ２には、貫通部材２５８が配置される荷重伝達部２５０用の第１外壁孔Ｄ２２とは別に、給水管８が通される第２外壁孔Ｄ２５（給水管用外壁孔）と、排水管１６が通される第３外壁孔Ｄ２６（排水管用外壁孔）がそれぞれ形成されている。
【００７４】
荷重受部２５６は、内壁Ａ１に接するように取付けられる基部２６２と、基部２６２に取付けられたホースバンド２６４とを備えている。基部２６２は金属により形成され、給水ホース５２及び排水ホース５４にかかる横向きの引っ張り荷重を受ける強度を備えている。基部２６２には、第１内壁孔Ｄ２１とほぼ同じ大きさ且つ円形の基部孔（図示せず）が形成されている。この基部孔は、貫通部材２５８を挿入することができる大きさに形成される。基部２６２における基部孔の周囲の環状部分は、貫通部材２５８の後述するつば部２７２と係合し、貫通部材２５８と荷重受部２５６の基部２６２とが強固に固定される。
【００７５】
基部２６２には、ホースバンド２６４が取付けられている。ホースバンド２６４は、給水ホース５２及び排水ホース５４をひとまとめにするようなリング形状に形成される。ホースバンド２６４は、給水ホース５２及び排水ホース５４に掛かるように設けられる。ホースバンド２６４は帯状に形成される。ホースバンド２６４は、ホースバンド２６４自身の長さを可変にするような構造を有していてもよい。ホースバンド２６４の長さを短くすることにより、給水ホース５２及び排水ホース５４を縛るようにひとまとめにすることができる。ホースバンド２６４は金属により形成されている。ホースバンド２６４は樹脂製のバンドであってもよい。ホースバンド２６４は、給水ホース５２及び排水ホース５４の内側を囲うように配置される。なお、基部２６２はホースバンド２６４の一部として形成されていてもよい。
【００７６】
貫通部材２５８は、内壁Ａ１の内側から外壁Ａ２の外側まで直線的に延びる。貫通部材２５８は、内壁Ａ１の内側から外壁Ａ２の外側まで延びる軸部分２５９と、軸部分２５９の内側の端部において外側に広がるつば部２７２と、軸部分２５９の外側の端部近傍に形成される外ねじ２７４とを備えている。貫通部材２５８は、軸部分２５９、つば部２７２及び外ねじ２７４によりボルト状に形成されている。
【００７７】
軸部分２５９は、内壁Ａ１の内側から外壁Ａ２の外側まで延びるような比較的長軸に形成されている。軸部分２５９は給水管８及び排水管１６用とは別に設けられた第１内壁孔Ｄ２１と第１外壁孔Ｄ２２とを通るように設けられる。軸部分２５９は中実且つ棒状の軸を形成しているので、第１内壁孔Ｄ２１及び第１外壁孔Ｄ２２の開口径を比較的小さくすることができる。
【００７８】
つば部２７２は、内壁Ａ１の内側において貫通部材２５８の軸部分２５９よりも環状に広がるように形成されている。つば部２７２は、第１内壁孔Ｄ２１の径よりも大きな径に形成される。つば部２７２は、ボルトの頭部形状を形成する。外ねじ２７４は、貫通部材２５８の軸部分２５９の外面に形成されている。外ねじ２７４は、軸部分２５９の外側の端部から内側向きに所定距離にわたって形成されている。
【００７９】
ナット２６０は、貫通部材２５８の外ねじ２７４と螺合する内ねじ２８０を内面に形成する。ボルト状の貫通部材２５８とナット２６０とにより外壁Ａ２の外側から内壁Ａ１の室内側における基部２６２まで延びるねじ締結構造が形成される。貫通部材２５８の軸部分２５９を内壁Ａ１及び外壁Ａ２を貫通するように配置した状態で、ねじ締結構造によりナット２６０を軸部分２５９に対して締め、内壁Ａ１の室内側の貫通部材２５８のつば部２７２と外壁Ａ２の外側のナット２６０との間で荷重受部２５６、貫通部材２５８及びナット２６０が内壁Ａ１及び外壁Ａ２に対して強固に固定される。このように、荷重伝達部２５０は、ねじ締結構造により外壁Ａ２に対して固定される。
なお、変形例として、貫通部材２５８のつば部２７２が外壁Ａ２の外側に配置され、ナット２６０が内壁Ａ１の室内側に配置され、ねじ締結構造によりナット２６０を軸部分２５９に対して締め、内壁Ａ１の室内側のナット２６０と外壁Ａ２の外側の貫通部材２５８のつば部２７２との間で荷重受部２５６、貫通部材２５８及びナット２６０が内壁Ａ１及び外壁Ａ２に対して強固に固定されてもよい。
本発明の第２実施形態における給水管８及び排水管１６は、第１実施形態における給水管８及び排水管１６と概ね同様であるので説明を省略する。
【００８０】
次に、第２実施形態において、図２０を参照して、荷重伝達部２５０における荷重の伝達経路について説明する。
矢印Ｅ２１に示すように給水ホース５２及び排水ホース５４に横向きの引っ張り荷重がかかる場合に、給水ホース５２及び排水ホース５４がホースバンド２６４と接し且つ引っ掛かることにより、矢印Ｅ２２に示すように横向きの引っ張り荷重がホースバンド２６４に伝達される。
【００８１】
ホースバンド２６４に伝達された横向きの引っ張り荷重は、矢印Ｅ２３に示すように基部２６２に伝達される。基部２６２に伝達された横向きの引っ張り荷重は、矢印Ｅ２４に示すように貫通部材２５８のつば部２７２に伝達され、貫通部材２５８に横向きの引っ張り荷重が伝達される。貫通部材２５８とナット２６０とはねじ締結されているので、矢印Ｅ２５に示すようにナット２６０に横向きの引っ張り荷重が伝達される。ナット２６０は外壁Ａ２に接しているので、ナット２６０の横向きの引っ張り荷重が矢印Ｅ２６に示すように外壁Ａ２に伝達される。このように、荷重伝達部２５０は、給水ホース５２及び排水ホース５４にかかる引っ張り荷重を外壁Ａ２に伝達させることができ、給水ホース５２及び排水ホース５４が横向きに引っ張られてホース側と建物配管側との継手同士の接続部分が破損する或いは外れる、又は各ホースと継手との接続部分が破損する或いは外れる等の不具合を生じることが抑制される。
【００８２】
次に、上述した第２実施形態によるポータブルトイレ装置２０１による作用効果を説明する。
本発明の第２実施形態によるポータブルトイレ装置２０１によれば、荷重伝達部２５０が給水ホース５２及び排水ホース５４にかかる引っ張り荷重を外壁Ａ２に伝達させることができるため、従来のふかし壁３０２を形成することを省略することができ、ふかし壁３０２により内壁Ａ１の室内側のスペースが損なわれることを抑制することができる。また、本発明によれば、従来のふかし壁３０２を形成できる位置の制約によりポータブルトイレ装置２０１の施工及び設置位置の自由度が損なわれることが抑制される。さらに、本発明によれば、従来のふかし壁３０２を形成する場合に比べて、ふかし壁３０２を室内に形成する手間を無くすことができ且つふかし壁３０２を形成する費用を抑えることができる。
また、室内で固定されたトイレ装置の便器本体２に給水ホース５２及び排水ホース５４が接続されている場合にも、使用者が給水ホース５２及び排水ホース５４に引っかかる等により給水ホース５２及び排水ホース５４に荷重がかかる場合に、荷重伝達部２５０が給水ホース５２及び排水ホース５４にかかる引っ張り荷重を外壁Ａ２に伝達させることができる。
【００８３】
さらに、本発明の第２実施形態によるポータブルトイレ装置２０１によれば、荷重伝達部２５０が比較的簡易なねじ締結構造により外壁Ａ２に対して固定されることができ、荷重伝達部２５０が給水ホース５２及び排水ホース５４にかかる引っ張り荷重を外壁Ａ２に伝達させることができる。
【００８４】
さらに、本発明の第２実施形態によるポータブルトイレ装置２０１によれば、荷重伝達部２５０の荷重受部２５６が給水ホース５２及び排水ホース５４をまとめるような比較的簡易な構造により形成され、且つ給水ホース５２及び排水ホース５４にかかる引っ張り荷重を受けることができる。よって、荷重伝達部２５０が給水ホース５２及び排水ホース５４にかかる引っ張り荷重を荷重受部２５６から外壁Ａ２に伝達させることができる。
【００８５】
さらに、本発明の第２実施形態によるポータブルトイレ装置２０１によれば、施工時に内壁Ａ１及び外壁Ａ２に孔を開口するにあたり、荷重伝達部２５０用の孔とは別に給水管８及び排水管１６を通すための孔をそれぞれ比較的小さく形成することができる。よって、施工時において比較的大きな開口を内壁Ａ１及び外壁Ａ２に形成する手間を軽減することができる。
【符号の説明】
【００８６】
１      ：ポータブルトイレ装置
１ａ    ：車輪
２      ：便器本体
４      ：給水部
６      ：フレーム
６ａ    ：フレーム基部
８      ：給水管
１０    ：ボウル部
１０ａ  ：吐水口
１０ｂ  ：汚物受け面
１０ｃ  ：筒状部分
１０ｄ  ：粉砕室
１０ｅ  ：天井面
１２    ：排水トラップ管路
１２ａ  ：接続部
１２ｂ  ：頂部
１２ｃ  ：横向部
１６    ：排水管
１８    ：粉砕装置
２０    ：排出ポンプ
２４    ：制御部
２６    ：回転体
２８    ：回転軸
３０    ：電動モーター
３４    ：通気弁管路
３６    ：通気弁
３８    ：フィルタ
４０    ：ポンプ室
４２    ：インペラ
４４    ：回転軸
４６    ：電動モーター
４８    ：孔
５０    ：荷重伝達部
５２    ：給水ホース
５４    ：排水ホース
５６    ：荷重受部
５８    ：貫通部材
５９    ：円筒部分
６０    ：ナット
６２    ：プレート
６４    ：ホースバンド
６６    ：プレート孔
６８    ：環状部分
７０    ：継手取付部
７２    ：つば部
７４    ：外ねじ
７６    ：第１小孔
７８    ：第２小孔
８０    ：内ねじ
８２    ：Ｌ型給水継手
８４    ：硬質給水管
８６    ：建物配管側給水継手
８８    ：Ｌ型排水継手
９０    ：硬質排水管
９１    ：縦硬質排水管
９２    ：汚水流出抑制継手
９４    ：第１横引管路
９６    ：下降管路
９８    ：第２横引管路
１００  ：空気流入機構
１０２  ：空気流入孔
１０４  ：キャップ
２０１  ：ポータブルトイレ装置
２５０  ：荷重伝達部
２５６  ：荷重受部
２５８  ：貫通部材
２５９  ：軸部分
２６０  ：ナット
２６２  ：基部
２６４  ：ホースバンド
２７２  ：つば部
２７４  ：外ねじ
２８０  ：内ねじ
３０１  ：トイレ装置
３０２  ：ふかし壁
３０４  ：カバー
３２０  ：給水設備
３２６  ：給水ホース
３３８  ：排水設備
３６４  ：ホースバンド
３６６  ：排水ホース
Ａ      ：建物
Ａ１    ：内壁
Ａ２    ：外壁
Ａ３    ：間柱
Ａ１１  ：内壁
Ａ１２  ：外壁
Ａ１３  ：間柱
Ｂ      ：空間
Ｃ      ：室内空間
Ｄ１    ：内壁孔
Ｄ２    ：外壁孔
Ｄ２１  ：第１内壁孔
Ｄ２２  ：第１外壁孔
Ｄ２３  ：第２内壁孔
Ｄ２４  ：第３内壁孔
Ｄ２５  ：第２外壁孔
Ｄ２６  ：第３外壁孔
Ｅ１    ：矢印
Ｅ２    ：矢印
Ｅ３    ：矢印
Ｅ４    ：矢印
Ｅ５    ：矢印
Ｅ６    ：矢印
Ｅ７    ：矢印
Ｅ２１  ：矢印
Ｅ２２  ：矢印
Ｅ２３  ：矢印
Ｅ２４  ：矢印
Ｅ２５  ：矢印
Ｅ２６  ：矢印
Ｆ      ：床面
Ｇ１    ：封水水位
Ｇ２    ：水位
Ｇ３    ：水位
Ｗ０    ：溜水面
【図１】
2019206867.tif 000003
【図２】
2019206867.tif 000004
【図３】
2019206867.tif 000005
【図４】
2019206867.tif 000006
【図５】
2019206867.tif 000007
【図６】
2019206867.tif 000008
【図７】
2019206867.tif 000009
【図８】
2019206867.tif 000010
【図９】
2019206867.tif 000011
【図１０】
2019206867.tif 000012
【図１１】
2019206867.tif 000013
【図１２】
2019206867.tif 000014
【図１３】
2019206867.tif 000015
【図１４】
2019206867.tif 000016
【図１５】
2019206867.tif 000017
【図１６】
2019206867.tif 000018
【図１７】
2019206867.tif 000019
【図１８】
2019206867.tif 000020
【図１９】
2019206867.tif 000021
【図２０】
2019206867.tif 000022
【図２１】
2019206867.tif 000023
【図２２】
2019206867.tif 000024